(57)【要約】【課題】書籍類を開いたときに栞部を頁間の上方に比較的大きく離反させて頁と栞部との干渉を少なくすることができる自動栞を提供する。【解決手段】書籍類Ｗの表紙、裏表紙に固定される第１固定部２及び第２固定部３と、閉じた頁間に挟み込まれる栞部６と、基端が第１固定部２に連結されて先端が栞部６に連結された第１アーム部４と、基端が第２固定部３に連結されて先端が栞部６に連結された第２アーム部５とを備える。第１アーム部４の先端と第２アーム部５の先端とを互いに連結する連結部１１を設ける。栞部６は、連結部１１に一端が連結されて他端が頁間に向かう形状に形成されている。【選択図】図１
2017121803.tif 000002
【特許請求の範囲】
【請求項１】
書籍類の表紙の上端に固定される第１固定部と、前記書籍類の裏表紙の上端に固定される第２固定部と、両固定部よりも前記書籍類の見開き側に位置して該書籍類の閉じた頁間に挟み込まれる栞部と、基端が前記第１固定部に連結されて先端が前記栞部に連結された第１アーム部と、基端が前記第２固定部に連結されて先端が前記栞部に連結された第２アーム部とを備え、前記書籍類の開き動作に伴う第１固定部と第２固定部との離間に連動して前記書籍類の開いた頁間の上方に向って第１アーム部と第２アーム部とが搖動することにより前記栞部が頁間から離脱し、前記書籍類を閉じる動作に伴う第１固定部と第２固定部との接近に連動して第１アーム部と第２アーム部とが搖動することにより閉じた頁間に前記栞部が挟まれる自動栞において、
前記第１アーム部と前記第２アーム部とをその先端で互いに連結する連結部が設けられ、
前記栞部は、前記連結部に一端が連結されて他端が前記書籍類の頁間に向かう形状に形成されていることを特徴とする自動栞。
【請求項２】
前記連結部は、前記栞部が前記書籍類の頁間に挟み込まれたときに前記書籍類の上方に露出する位置に設けられていることを特徴とする請求項１記載の自動栞。
【請求項３】
前記第１アーム部と前記第２アーム部とは、前記書籍類の頁間に前記栞部が挟み込まれたときに前記書籍類の上端縁に沿って延びる姿勢となることを特徴とする請求項１又は２記載の自動栞。
【発明の詳細な説明】
【技術分野】
【０００１】
本発明は、自動栞に関する。
【背景技術】
【０００２】
従来、書籍類の表紙の上端に固定される第１固定部と、前記書籍類の裏表紙の上端に固定される第２固定部と、書籍類の閉じた頁間に挟み込まれる栞部と、基端が前記第１固定部に連結されて先端が前記栞部に連結された第１アーム部と、基端が前記第２固定部に連結されて先端が前記栞部に連結された第２アーム部とを備える自動栞が知られている（例えば、特許文献１又は特許文献２参照）。
【０００３】
この種の自動栞は、栞部の先端縁に折目が形成されており、書籍類の頁の開閉動作に連動して栞部が折目を介して開閉するようになっている。即ち、書籍類の頁を開くことにより、両固定部の間隔距離が大きくなると、栞部が左右に引っ張られることによって栞部が折目を介して拡開し、頁間の上方で略平坦になることによって頁間から抜け出した状態となる。書籍類を閉じると、両固定部の間隔距離が小さくなり、それに伴って栞部が折目を介して折り畳まれて、頁間に挟み込まれる。
【先行技術文献】
【特許文献】
【０００４】
【特許文献１】実用新案登録第３１９２９０６号公報
【特許文献２】特開２００８−６８６０９号公報
【発明の概要】
【発明が解決しようとする課題】
【０００５】
従来の構成による自動栞は、上述したように、書籍類の頁を開いたときに、頁間の上方で栞部が折目を介して拡開状態となる。このため、頁の開き度合いが小さかったり、頁をめくるとき等に頁間が閉じ方向に狭くなった場合には、栞部が中途半端に折り畳まれた状態で頁間に侵入することがあり、読書の邪魔になったり、頁に栞部が大きく干渉して頁をめくる動作が円滑に行えない不都合があった。
【０００６】
上記の点に鑑み、本発明は、書籍類を開いたときに栞部を頁間の上方に比較的大きく離反させて頁と栞部との干渉を少なくすることができる自動栞を提供することを目的とする。
【課題を解決するための手段】
【０００７】
かかる目的を達成するために、本発明は、書籍類の表紙の上端に固定される第１固定部と、前記書籍類の裏表紙の上端に固定される第２固定部と、両固定部よりも前記書籍類に見開き側に位置して該書籍類の閉じた頁間に挟み込まれる栞部と、基端が前記第１固定部に連結されて先端が前記栞部に連結された第１アーム部と、基端が前記第２固定部に連結されて先端が前記栞部に連結された第２アーム部とを備え、前記書籍類の開き動作に伴う第１固定部と第２固定部との離間に連動して前記書籍類の開いた頁間の上方に向って第１アーム部と第２アーム部とが搖動することにより前記栞部が頁間から離脱し、前記書籍類を閉じる動作に伴う第１固定部と第２固定部との接近に連動して第１アーム部と第２アーム部とが搖動することにより閉じた頁間に前記栞部が挟まれる自動栞であって、前記第１アーム部と前記第２アーム部とをその先端で互いに連結する連結部が設けられ、前記栞部は、前記連結部に一端が連結されて他端が前記書籍類の頁間に向かう形状に形成されていることを特徴とする。
【０００８】
本発明によれば、第１アーム部の先端と第２アーム部の先端とを連結する連結部に、更に栞部の一端を連結したことにより、栞部に折目を設ける必要がなく、書籍類の頁の開閉動作を第１アーム部と第２アーム部の搖動動作に効率よく変換することができる。
【０００９】
よって、従来の栞部を拡開させるものに比べて、栞部を頁間の上方に大きく離反させることができ、頁をめくる際の頁と栞部との干渉を少なくすることができる。このとき、栞部の先端が書籍類の頁間に向かう形状であることにより、栞部は書籍類の頁間に向って延びているので、連結部が書籍類の上方に露出する位置にあっても、栞部は確実に閉じた頁間に挟み込まれるようになっている。
【００１０】
更に、本発明によれば、栞部を拡開させるための折目を栞部に設ける必要がないから、平坦な板状の材料を選択して栞部を形成することができ、栞部のデザインの自由度が高くなる。
【００１１】
また、本発明において、前記連結部は、前記栞部が前記書籍類の頁間に挟み込まれたときに前記書籍類の上方に露出する位置に設けられていることが好ましい。
【００１２】
表紙に固定した第１固定部と、裏表紙に固定した第２固定部との距離は、書籍類の厚みによって互いに離れた位置にある。このため、書籍類が閉じられた状態であっても、第１アーム部と第２アーム部とは先端の連結部を除いて互いに離間している。この状態で、連結部が頁間に挟まれると、第１アーム部と第２アーム部との離間状態の影響で、連結部が頁間に比較的大きな隙間を形成してしまい、見栄えが悪いだけでなく、両アーム部への負担も大きくなる。
【００１３】
それに対し、本発明によれば、連結部が書籍類の頁間に挟み込まれることがない。よって、頁間が大きく開くこともなく、また両アーム部への負担も軽減することができる。
【００１４】
また、本発明において、前記第１アーム部と前記第２アーム部とは、前記書籍類の頁間に前記栞部が挟み込まれたときに前記書籍類の上端縁に沿って延びる姿勢となることが好ましい。これによれば、書籍類の頁間を閉じたときに両アーム部の書籍類の上端からの張り出し量を比較的小さくすることができ、書籍類に取り付けた自動栞が邪魔になることを防止することができる。
【００１５】
なお、本発明の自動栞を用いる書籍類としては、読み物等の書物、雑誌、ノート、ダイアリー、地図帳、旅行カタログ、料理本等を挙げることができる。
【図面の簡単な説明】
【００１６】
【図１】本発明の一実施形態の自動栞を示す説明的斜視図。
【図２】本実施形態の自動栞の使用状態を示す説明的側面図。
【図３】図２の平面図。
【図４】本実施形態の自動栞の使用状態を示す説明的正面図。
【図５】図４の平面図。
【図６】ヒンジ部形成時の説明図。
【図７】図４の側面図。
【図８】クリップ部の変形例を示す説明図。
【発明を実施するための形態】
【００１７】
本発明の一実施形態を図面に基づいて説明する。本実施形態の自動栞１は、板紙により形成されており、図１に示すように、同一形状の２つの固定部（第１固定部２、第２固定部３）と、両固定部２，３の夫々に連設された同一形状の２つのアーム部（第１アーム部４、第２アーム部５）と、両アーム部４，５の先端に連設された単一の栞部６とで構成されている。本実施形態においては両固定部２，３を同一形状としたが、第１固定部２と第２固定部３とは各々異なる形状であってもよい。
【００１８】
図２〜図５に示すように、各固定部２，３には、書籍類Ｗの表紙の上端部と裏表紙の上端部とを夫々挟持するクリップ部７，８が設けられている。クリップ部７，８は、金属製のバネ板を折り返して形成された互いに重合する２つの舌片間に書籍類Ｗの表紙、裏表紙を挟んで固定する。このとき、図２及び図４に示すように、両クリップ部７，８の直線状の折り返し部７ａ，８ａに表紙、裏表紙の上縁を当接させることで、各固定部２，３を所定の姿勢に精度よく取付けることができる。
【００１９】
図１に示すように、第１アーム部４と第２アーム部５とは同一形状（左右対称形状）の細長い帯状に形成されているが、固定部２，３とは異なる形状とされている。各アーム部４，５は、夫々、基端がヒンジ部９，１０を介して両固定部２，３に連結されている。両アーム部４，５の先端は、連結部１１により互いに連結されている。
【００２０】
連結部１１には、栞部６の基端（一端）が連結されている。栞部６は、先端（他端）が鋭角の三角形に形成されており、従来のような折目を備えず、常に平坦な板状を維持する。栞部６が折目を備えない１枚の板状に形成されていることにより、栞部６のデザインの自由度も高い。
【００２１】
ヒンジ部９，１０は、固定部２，３とアーム部４，５との境界に沿った折目であり、固定部２，３を表紙、裏表紙に上記の所定の姿勢で固定したとき、表紙、裏表紙の上縁に対して所定の角度θ（図２参照）を有して傾斜している。
【００２２】
本実施形態においては、図６に示すように、各固定部２，３の後端（書籍類Ｗの綴じ側）の上方から更に斜め上方に延設した各アーム部４，５を、図６中仮想線示するように、各固定部２，３の前方（書籍類Ｗの見開き側）に折り返したことによる折目がヒンジ部９，１０となっている。
【００２３】
ヒンジ部９，１０の角度θは、アーム部４，５の長さや栞部６の大きさに応じて適宜設定することができる。なお、本実施形態におけるヒンジ部９，１０の角度θは４５°に設定されているがこれに限るものではない。
【００２４】
両アーム部４，５は、ヒンジ部９，１０が角度θを存していることにより円滑に搖動するが、両アーム部４，５の搖動範囲は、ヒンジ部９，１０の角度θだけでなく、書籍類Ｗの頁間の開き角度や両アーム部４，５の長さが影響する。
【００２５】
両固定部２，３は、書籍類Ｗの頁間を開いた際の表紙と裏表紙の移動によって互いに離間する。両固定部２，３が互いに離反することにより、図７に示すように、両アーム部４，５が書籍類Ｗの上方に搖動する。両アーム部４，５の搖動によって栞部６が開いた頁の上方に離間して待避状態となる。
【００２６】
書籍類Ｗを閉じると両固定部２，３が互いに接近方向に移動し、それに伴って両アーム部４，５が下方に（書籍類Ｗの上端に接近する方向に向って）搖動し、図２に示すように、栞部６が閉じた頁間に挟み込まれる。
【００２７】
連結部１１は、書籍類Ｗの頁間に栞部６が挟まれたときでも、書籍類Ｗの外側に露出する。これにより、連結部１１が頁間に挟まれることがないから、書籍類Ｗを閉じたときに栞部が挟まった頁間が必要以上に大きく広がることがない。
【００２８】
また、両アーム部４，５が細長く直線状に延びる帯状に形成されている場合には、ヒンジ部９，１０の角度θを４５°に設定することで、両アーム部４，５を書籍類Ｗの上縁に対して略平行に沿わせることができる。これにより、書籍類Ｗへの自動栞１の取り付け状態がコンパクトになるので、頁を閉じた書籍類Ｗを持ち歩くとき等に両アーム部４，５が邪魔にならない。
【００２９】
上記の構成による本実施形態の自動栞１は、書籍類Ｗを閉じると平板状の栞部６が平板状のまま頁間に挟まれ、書籍類Ｗを開くと栞部６が平板状のまま頁間から離脱する。このとき、両アーム部４，５が自由に撓むと共にヒンジ部９，１０が角度θを有していることにより、両アーム部４，５の搖動角度を比較的大きくすることができる。これによって、書籍類Ｗの開かれた頁間の上方に待避する栞部６に対して、めくった頁が接触し難くなり、万一栞部６が頁に触れても、両アーム部４，５が柔軟に撓んで抵抗が殆どなく頁をめくることができる。
【００３０】
なお、本実施形態においては、第１固定部２を表紙に、第２固定部３を裏表紙に夫々取り付けた例を示したが、書籍類Ｗの頁を構成する用紙に取り付けることを妨げるものではない。書籍類Ｗの頁を構成する用紙に取り付けた場合には、固定部２，３も栞として用いることが可能である。
【００３１】
また、両固定部２，３は、書籍類Ｗの厚さ、書籍類Ｗの開き限界角度に応じて、書籍類Ｗの前側（見開き側）から奥側（綴じ側）の間で任意の位置に取り付けることができる。具体的には、例えば、頁間を１８０°開くことができる書籍類Ｗの場合には、両固定部２，３を書籍類Ｗの奥側（綴じ側寄り）に取り付けることによって対応させることができる。また、図示しないが、書籍類Ｗの頁間を１８０°以上広げたまま閲覧する場合であっても、両固定部２，３の反転動作に応じて両アーム部４，５が立ち上がるようにして柔軟に追従し、支障なく用いることができる。
【００３２】
また、本実施形態においては、板紙を材料として作られている自動栞１を示したが、材料は板紙に限るものではなく、適度な硬さと柔軟性を有する板材であれば材料として好適に採用できる。この場合、材質としては、ポソプロピレン（ＰＰ）、ポゾエチレン（ＰＥ）、ポリエチレンテレフタレート（ＰＥＴ）、ポリカーボネート（ＰＣ）、セロハンテープで補強した紙、樹脂で補強した木薄板、金属簿板等が挙げられる。
【００３３】
また、自動栞１は、多様な作り方が考えられるが、両固定部２，３、両アーム部４，５、及び栞部６を、夫々別体の部品として、接着等により組みたてることによっても得ることができる。この場合、各部品を全て同じ材料で形成してもよいが、各部品毎に異なる材料で形成してもよい。
【００３４】
また、図示しないが、形状に打ち抜いた一枚のシートを形成し、先ず、栞部６を接着剤等を介して貼り合わせて板状に形成し、次いで、各アーム部４，５に対し、ヒンジ部９，１０となる折目を介して固定部２，３を折り返して図１に示す自動栞１を組み立ててもよい。これによれば極めて簡単に自動栞１を組み立てることができる。
【００３５】
また、本実施形態においては、固定部２，３にクリップ部７，８を設けて表紙、裏表紙に取り付けた例を挙げたが、これ以外に、図８に示すように、固定部２，３にクリップ状の切込み１２，１３を形成してこの切込み１２，１３に表紙、裏表紙を挟み込んで固定部２，３を固定してもよい。或いは、図示しないが、クリップ部７，８に替えて、マグネットを紙の表裏に貼り付け固定するマグネットクリップ、両面テープ、接着剤等で表紙、裏表紙に固定部２，３を固定してもよい。
【符号の説明】
【００３６】
Ｗ…書籍類、１…自動栞、２…第１固定部、３…第２固定部、４…第１アーム部、５…第２アーム部、６…栞部、１１…連結部。
【図１】
2017121803.tif 000003
【図２】
2017121803.tif 000004
【図３】
2017121803.tif 000005
【図４】
2017121803.tif 000006
【図５】
2017121803.tif 000007
【図６】
2017121803.tif 000008
【図７】
2017121803.tif 000009
【図８】
2017121803.tif 000010